(57)【要約】      （修正有）【課題】外部から電力の供給を受ける必要がなく、自己完結的に、異常高温を視覚的にはっきりと不可逆的に表示することができる暗所用異常高温警告具を提供。【解決手段】基板１上に、中央部分が一方側に膨出した透明な合成樹脂フィルム製の成形体２を被せて、基板１上に密閉空間を形成し、該密閉空間内を任意の設定温度で溶解する石油系ワックスからなる隔壁３によって２室に区画し、混合されることによって発光する一対の薬液５、６を、それぞれ各室に封入して暗所用異常高温警告具を構成した。【選択図】図１
2011214875.tif 000002
【特許請求の範囲】
【請求項１】
基板上に、中央部分が一方側に膨出した透明な合成樹脂フィルム製の成形体を被せて、基板上に密閉空間を形成し、該密閉空間内を任意の設定温度で溶解する石油系ワックスからなる隔壁によって２室に区画し、混合されることによって発光する一対の薬液を、それぞれ各室に封入したことを特徴とする暗所用異常高温警告具。
【請求項２】
基板上に、中央部分が一方側に膨出した透明な合成樹脂フィルム製の成形体を被せて、基板上に密閉空間を形成し、該密閉空間内を透明な合成樹脂製の隔壁によって２室に区画すると共に、この隔壁に透孔を設け、この透孔を任意の設定温度で溶解する石油系ワックスによって封止し、混合されることによって発光する一対の薬液を、それぞれ各室に封入したことを特徴とする暗所用異常高温警告具。
【請求項３】
基板上に、中央部分が一方側に膨出した透明合成樹脂フォルム製の成形体を被せて、基板上に密閉空間を形成し、該密閉空間内に、混合されることにより発光する一対の薬液の一方を収容すると共に、任意の設定温度で溶解する石油系ワックスによって開口部が封止され、内部にもう一方の薬液が収容されている袋体を前記密閉空間内に収容したことを特徴とする暗所用異常高温警告具。
【請求項４】
基板上に蓄光材からなる蓄光層を形成し、更に、この蓄光層の上面に、任意の設定温度で溶解する粉末状の石油系ワックスと粘ちょう剤とからなるワックス層を重畳し、これら蓄光層とワックス層とを覆う様に、その上から透明フィルムを被せたことを特徴とする暗所用異常高温警告具。
【請求項５】
基板上に、所望の色彩が施された彩色面を形成し、この彩色面の上面に蓄光材からなる帯状の蓄光層を間隔をあけて複数条形成し、その上に透明合成樹脂板を重ね、更にその上に、任意の設定温度で溶解する粉末状の石油系ワックスと粘ちょう剤とからなるワックス層を形成し、これら全体を透孔フィルムで被ったことを特徴とする暗所用異常高温警告具。
【請求項６】
直列状に配置された一対の流路と、該流路内に位置し、該流路の開閉を行う可動栓とからなる開閉弁の前記可動栓に、ワックスの膨張／収縮作用によってピストンが伸縮するワックスサーモエレメントのピストンを連結して、任意の設定温度でピストンが伸長して可動栓を移動させ、流路を開ける様にすると共に、一対の流路に、それぞれ透明合成樹脂製の袋体の開口部を取付け、該一対の袋体内部に混合することによって発光する一対の薬液をぞれぞれ封入したことを特徴とする暗所用異常高温警告具。
【請求項７】
混合されることによって発光する一対の薬液の一方を収容したガラス製アンプルを、もう一方の薬液と共に透明合成樹脂製筒体内に収容せしめたケミカルライトスティックの側面中央部に、ワックスの膨張／収縮作用によってピストンが伸長／後退するワックスサーモエレメントのピストン先端を、ケミカルライトスティックの軸芯に対してほぼ直角方向から当接あるいは接近させて位置せしめ、設定温度超過の際にピストンが伸長してケミカルライトスティック中央部を折り、アンプルを割って一対の薬液を混合せしめる様にしたことを特徴とする暗所用異常高温警告具。
【請求項８】
筒状をなし、軸芯に沿って流路が形成され、該流路の一端が、任意の設定温度で熔融する低熔融ハンダによって封止された口金の、それぞれ流路出口に、一対の透明合成樹脂製袋体を、それぞれの開口部が突き合わせ状態になる様に接続し、これら袋体内に、混合することにより発光する一対の薬液をそれぞれ収容したことを特徴とする暗所用異常高温警告具。
【請求項９】
基板上に、中央部分が一方側に膨出した透明な合成樹脂フィルム製の成形体を被せて、基板上に密閉空間を形成し、該密閉空間内に、混合されることにより発光する一対の薬液の一方を収容すると共に、任意の設定温度で溶解する石油系ワックス製のマイクロカプセル内にもう一方の薬液を収容し、該マイクロカプセルを前記密閉空間内に収容したことを特徴とする暗所用異常高温警告具。
【請求項１０】
基板上に、中央部分が一方側に膨張した透明な合成樹脂フィルム製の成形体を被せて、基板上に密閉空間を成形すると共に、混合されることにより発光する一対の薬液を任意の設定温度で溶解する石油系ワックス製のマイクロカプセルにそれぞれ別々に収容し、これらマイクロカプセルを前記密閉空間内に封入したことを特徴とする暗所用異常高温警告具。
【請求項１１】
一対の薬液がシウ酸ジフェニルと過酸化水素であることを特徴とする請求項１，２，３，６，７，８，９，１０記載の暗所用異常高温警告具。
【発明の詳細な説明】
【技術分野】
【０００１】
この発明は暗所用異常高温警告具、詳しくは、光量の極めて乏しい、所謂、暗所に設置されている対象物の異常高温に反応し、その事実を不可逆的に表示し、警告を発する暗所用異常高温警告具に関するものである。
【背景技術】
【０００２】
対象物の温度に反応して設定温度超過の事実を不可逆的に表示する温度表示具は、あらゆる産業分野において広く用いられており、この温度表示具の用途の一つとして、対象物の異常高温の感知警告が挙げられる。
【先行技術文献】
【特許文献】
【０００３】
【特許文献１】特開２００７−２３１２１２
【非特許文献】
【０００４】
【非特許文献１】なし
【発明の開示】
【発明が解決しようとする課題】
【０００５】
異常高温を感知警告する為に用いる温度表示具のうち、洞状の施設内など光量の極めて乏しい暗所に設置された対象物の異常高温の事実を発光現象によって不可逆的に表示する暗所用異常高温警告具は、予め設定された温度で確実に動作する正確さと共に、視覚的にはっきりと訴えることが出来る良好な視認性を持つことが必要であり、一個当たりの単価が安く、耐久性、信頼性にも富み、しかも外部から電気の供給を必要としない自己完結性を有することも望ましいが、従来の暗所用異常温度警告具においては、電気の供給を必要としたり、視認性が劣っていたり、構造が複雑で、高コストであったり、信頼性、耐久性に欠けるものが多く、必ずしも満足すべきものではなかった。
【０００６】
本願発明は、上記従来の暗所用異常高温警告具の問題点を解決することを目的とするものであり、洞状の施設内などの暗所において、外部から電気の供給を受ける必要がなく、自己完結的に、異常高温を視覚的にはっきりと不可逆表示することが出来る便利な暗所用異常高温警告具を提供せんとするものである。
【課題を解決するための手段】
【０００７】
請求項１に係る発明は、基板上に、中央部分が一方側に膨出した透明な合成樹脂フィルム製の成形体を被せて、基板上に密閉空間を形成し、該密閉空間内を任意の設定温度で溶解する石油系ワックスからなる隔壁によって２室に区画し、混合されることによって発光する一対の薬液を、それぞれ各室に封入して暗所用異常高温警告具を構成することにより、上記課題を解決した。
【０００８】
請求項２に係る発明は、基板上に、中央部分が一方側に膨出した透明な合成樹脂フィルム製の成形体を被せて、基板上に密閉空間を形成し、該密閉空間内を透明な合成樹脂製の隔壁によって２室に区画すると共に、この隔壁に透孔を設け、この透孔を任意の設定温度で溶解する石油系ワックスによって封止し、混合されることによって発光する一対の薬液を、それぞれ各室に封入して暗所用異常高温警告具を構成することにより、上記課題を解決した。
【０００９】
請求項３に係る発明は、基板上に、中央部分が一方側に膨出した透明合成樹脂フォルム製の成形体を被せて、基板上に密閉空間を形成し、該密閉空間内に、混合されることにより発光する一対の薬液の一方を収容すると共に、任意の設定温度で溶解する石油系ワックスによって開口部が封止され、内部にもう一方の薬液が収容されている袋体を前記密閉空間内に収容して暗所用異常高温警告具を構成することにより、上記課題を解決した。
【００１０】
請求項４に係る発明は、基板上に蓄光材からなる蓄光層を形成し、更に、この蓄光層の上面に、任意の設定温度で溶解する粉末状の石油系ワックスと粘ちょう剤とからなるワックス層を重畳し、これら蓄光層とワックス層とを覆う様に、その上から透明フィルムを被せて暗所用異常高温警告具を構成することにより、上記課題を解決した。
【００１１】
請求項５に係る発明は、基板上に、所望の彩色が施された彩色面を形成し、この彩色面の上面に蓄光材からなる帯状の蓄光層を間隔をあけて複数条形成し、その上に透明合成樹脂板を重ね、更にその上に、任意の設定温度で溶解する粉末状の石油系ワックスと粘ちょう剤とからなるワックス層を形成し、これら全体を透孔フィルムで被って暗所用異常高温警告具を構成することにより、上記課題を解決した。
【００１２】
請求項６に係る発明は、直列状に配置された一対の流路と、該流路内に位置し、該流路の開閉を行う可動栓とからなる開閉弁の前記可動栓に、ワックスの膨張／収縮作用によってピストンが伸縮するワックスサーモエレメントのピストンを連結して、任意の設定温度でピストンが伸長して可動栓を移動させ、流路を開ける様にすると共に、一対の流路に、それぞれ透明合成樹脂製の袋体の開口部を取付け、該一対の袋体内部に混合することによって発光する一対の薬液をぞれぞれ封入して暗所用異常高温警告具を構成することにより、上記課題を解決した。
【００１３】
請求項７に係る発明は、混合されることによって発光する一対の薬液の一方を収容したガラス製アンプルを、もう一方の薬液と共に透明合成樹脂製筒体内に収容せしめたケミカルライトスティックの側面中央部に、ワックスの膨張／収縮作用によってピストンが伸長／後退するワックスサーモエレメントのピストン先端を、ケミカルライトスティックの軸芯に対してほぼ直角方向から当接あるいは接近させて位置せしめ、設定温度超過の際にピストンが伸長してケミカルライトスティック中央部を折り、アンプルを割って一対の薬液を混合する様にして暗所用異常高温警告具を構成することにより、上記課題を解決した。
【００１４】
請求項８に係る発明は、筒状をなし、軸芯に沿って流路が形成され、該流路の一端が、任意の設定温度で熔融する低熔融ハンダによって封止された口金の、それぞれ流路出口に、一対の透明合成樹脂製袋体を、それぞれの開口部が突き合わせ状態になる様に接続し、これら袋体内に、混合することにより発光する一対の薬液をそれぞれ収容して暗所用異常高温警告具を構成することにより、上記課題を解決した。
【００１５】
請求項９に係る発明は、基板上に、中央部分が一方側に膨出した透明な合成樹脂フィルム製の成形体を被せて、基板上に密閉空間を形成し、該密閉空間内に、混合されることにより発光する一対の薬液の一方を収容すると共に、任意の設定温度で溶解する石油系ワックス製のマイクロカプセル内にもう一方の薬液を収容し、該マイクロカプセルを前記密閉空間内に収容して暗所用異常高温警告具を構成することにより、上記課題を解決した。
【００１６】
請求項１０に係る発明は、基板上に、中央部分が一方側に膨張した透明な合成樹脂フィルム製の成形体を被せて、基板上に密閉空間を成形すると共に、混合されることにより発光する一対の薬液を任意の設定温度で溶解する石油系ワックス製のマイクロカプセルにそれぞれ別々に収容し、これらマイクロカプセルを前記密閉空間内に封入して暗所用異常高温警告具を構成することにより、上記課題を解決した。
【発明の効果】
【００１７】
石油系ワックスあるいは低熔融ハンダの熱による溶解作用を利用しているので、正確に温度に反応し、動作が確実で耐久性にも富み、誤作動のおそれはほとんどない。又、構造が簡単で、部品数も少なく、低いコストで製造することが出来る。更に、それ自体発光するので、外部から電気の供給を受けたり、別途照明手段を用意する必要がない。しかも、一旦設定温度を超過したら、その後温度が低下しても、不可逆的に表示し続ける、等の効果を有し、洞状の施設内などの光量の乏しい無人施設内に設置されている対象物の異常高温の感知警告に、特に有効である。
【図面の簡単な説明】
【００１８】
【図１】この発明に係る暗所用異常高温警告具の実施例１の縦断面図。
【図２】同じく、その平面図。
【図３】同じく、その斜視図。
【図４】同じく、設定温度に達し、発光を開始した状態の縦断面図。
【図５】同じく、実施例１の他の形態の平面図。
【図６】この発明に係る暗所用異常高温警告具の実施例２の縦断面図。
【図７】同じく、設定温度に達し、発光を開始した状態の縦断面図。
【図８】この発明に係る暗所用異常高温警告具の実施例３の一部を切欠いて描いた平面図。
【図９】同じく、その縦断面図。
【図１０】同じく、設定温度に達し、発光を開始した状態の縦断面図。
【図１１】この発明に係る暗所用異常高温警告具の実施例４の縦断面図。
【図１２】同じく、設定温度に達し、発光を開始した状態の縦断面図。
【図１３】この発明に係る暗所用異常高温警告具の実施例５の縦断面図。
【図１４】同じく、設定温度に達し、発光を開始した状態の縦断面図。
【図１５】同じく、実施例５の発光前の状態の平面図。
【図１６】同じく、実施例５の発光を開始した状態の平面図。
【図１７】この発明に係る暗所用異常高温警告具の実施例６の縦断面図。
【図１８】同じく、設定温度に達し、発光を開始した状態の縦断面図。
【図１９】この発明に係る暗所用異常高温警告具の実施例７の縦断面図。
【図２０】同じく、設定温度に達し、発光を開始した状態の縦断面図。
【図２１】この発明に係る暗所用異常高温警告具の実施例８の縦断面図。
【図２２】同じく、設定温度に達し、発光を開始した状態の縦断面図。
【図２３】この発明に係る暗所用異常高温警告具の実施例９の縦断面図。
【図２４】この発明に係る暗所用異常高温警告具の実施例９の平面図。
【図２５】同じく、設定温度に達し、発光を開始した状態の縦断面図。
【図２６】この発明に係る暗所用異常高温警告具の実施例１０の縦断面図。
【図２７】この発明に係る暗所用異常高温警告具の実施例１０の平面図。
【図２８】同じく、設定温度に達し、発光を開始した状態の縦断面図。
【発明を実施するための最良の形態】
【００１９】
任意の設定温度で溶解し、温度に対する反応も正確である石油系ワックスあるいは低熔解ハンダの特性を利用し、これによって発光物質の発光作用の起動を行う様にした点に最大の特徴が存する。
【実施例１】
【００２０】
図１は、この発明に係る暗所用異常高温警告具の実施例１の縦断面図、図２はその平面図、図３はその斜視図である。
【００２１】
図中１は、矩形薄板状をなした基板であり、合成樹脂等を素材として、液体が浸み出さない水密性を有している。そして、この基板１の表面側には、一方側に膨出した透明な合成樹脂フィルム製の箱形成形体２が被せられており、基板１上に密閉空間を形成している。そして、この密閉空間内の中央部には、任意の設定温度で溶融する石油系ワックスによって隔壁３が形成されており、ａ，ｂ２室に区画されている。
【００２２】
更に、これらａ，ｂ２室には、シュウ酸ジフエニルと過酸化水素の様に、混合すると発光する一対の薬液５，６が別々に封入されている。なお、図１に示した実施例においては、箱形成形体２内の密閉空間は横方向に区画されているが、縦方向、つまり、基板１と平行な方向に区画しても良い。
【００２３】
更に、箱形成形体２は図１及び図２に示す様な形成状のものに限る必要はなく、図５に示すものの様に、中央にくびれ部１８が形成され、該くびれ部１８に石油系ワックスによる隔壁３が設けられたものでも良い。
【００２４】
この実施例１は上記の通りの構成を有するものであり、図４に示す様に、異常高温を感知しようとする対象物４の表面に、適宜手段によって貼付して使用に供するものであり、対象物４が予め設定された温度を超過すると、隔壁３を形成している石油系ワックスが溶解することにより、隔壁３が崩壊し、それまで分離されていた一対の薬液５，６が混じり合い、発光を開始する。
【００２５】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので発光は継続され、設定温度超過の事実は不可逆的に表示され続ける。
【実施例２】
【００２６】
図６はこの発明に係る暗所用異常高温警告具の実施例２の縦断面図である。
【００２７】
図中１は、矩形薄板状をなした基板であり、実施例１の場合と同様、合成樹脂等を素材として、液体が浸み出さない水密性を有している。そして、この基板１の表面側には、一方側に膨出した透明な合成樹脂フィルム製の箱形成形体２が被せられており、基板１上に密閉空間を形成している。
【００２８】
そして、この密閉空間内の横方向中央部、つまり基板１と平行な方向における中央部には仕切板１２が設けられており、この仕切板１２によって密閉空間内は上下２室に区画されている。
【００２９】
更に、この仕切板１２には、その表裏を貫いて透孔１３が形成されており、この透孔１３は予め設定された温度で溶解する固形状の石油系ワックス１４によって封止されており、上下２室には、シュウ酸ジフェニルと過酸化水素の様に、混合すると発光する一対の薬液５，６が封入されている。
【００３０】
この実施例２は上記の通りの構成を有するものであり、図７に示す様に、異常高温を感知しようとする対象物４の表面に、適宜手段によって貼付して使用に供するものであり、対象物４が予め設定された温度を超過すると仕切板１２の透孔１３を閉塞している石油系ワックス１４が溶解し、透孔１３が開放され、それまで分離されていた一対の薬液５，６が混じり合い、発光を開始する。
【００３１】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例３】
【００３２】
図８はこの発明に係る暗所用異常高温警告具の実施例３の一部を切欠いて描いた平面図、図９はその縦断面図である。
【００３３】
図中１は、矩形薄板状をなした基板であり、実施例１の場合と同様、合成樹脂等を素材として、液体が浸み出さない水密性を有している。そして、この基板１の表面側には、一方側に膨出した透明な合成樹脂フィルム製の箱形成形体２が被せられており、基板１上に密閉空間を形成している。
【００３４】
そして、この箱形成形体２内には、扁平な袋体１９の収容されており、この袋体１９内部には、シュウ酸ジフェニルと過酸化水素の様に、混合すると発光する一対の薬液５，６の一方が収容され、その開口部２０は予め設定された温度で溶解する固形状の石油系ワックス１４によって封止されている。
【００３５】
更に、箱形成形体２には、袋体１９と共に、薬液５，６のもう一方が収容されている。
【００３６】
この実施例３は上記の通りの構成を有するものであり、図１０に示す様に、異常高温を感知しようとする対象物４の表面に、適宜手段によって貼付して使用に供するものであり、対象物４が予め設定された温度を超過すると、袋体１９の開口部２０を閉塞している石油系ワックス１４が溶解し、開口部２０が開放され、それまで分離されていた一対の薬液５，６が混じり合い、発光を開始する。
【００３７】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例４】
【００３８】
図１１はこの発明に係る暗所用異常高温警告具の実施例４の縦断面図である。
【００３９】
図中７は矩形薄板状をなした基板であり、この基板７上には蓄光材からなる蓄光層９が形成されており、この蓄光層９の上面には、任意の設定温度で溶解する粉末状の石油系ワックスと粘ちょう剤とを練り合せてなるワックス層１０が重畳されている。なお、このワックス層１０を構成する物質は、本件出願人が特開２００６−２９９４５として提案したものと同じであり、設定温度超過前の平常状態においては、粉末状の石油系ワックスの作用により白濁した不透明状態を呈している。
【００４０】
又、蓄光層９を構成する蓄光材は、光を貯め込んで、これを放出して光る性質の物質であり、硫化亜鉛系やアルミン酸ストロンチウム系などの既知の蓄光材を用いることが出来る。そして、これら蓄光層９及びワックス層１０を覆う様に、その上に透明フィルム１１が被せられている。
【００４１】
この実施例４は上記の通りの構成を有するものであり、実施例１と同様、異常温度を感知しようとする対象物４に適宜手段によって貼付して使用に供するものであり、対象物４が設定温度を超過した場合には、図１２に示す様に、ワックス層１０を構成している粉末状の石油系ワックスが溶解して液状化することにより、それまで白濁して不透明であったワックス層１０が透明化し、この透明化したワックス層１０を透過してその下の蓄光層９が透けて見え、蓄光層９の発光現象が外部から視認出来る様になる。従って、この発光現象によって対象物４が異常高温に晒された事実が表示される。
【００４２】
なお、洞状の施設内などの暗所においても、ほとんどの場合、わずかな光が存在しているので、蓄光層９を構成している蓄光材を発光させることは十分可能であり、発光によって、異常高温の事実を感知警告することが出来る。又、対象物４の温度が設定温度以下に低下しても、ワックス層１０は透明のままであるので、設定超過の事実は蓄光層９の発光が継続する限り、表示され続ける。
【実施例５】
【００４３】
図１３は、この発明に係る暗所用異常高温警告具の実施例５の縦断面図である。
【００４４】
図中７は、矩形薄板状をなした基板であり、この基板７上には、所望の彩色が施された彩色面１５が形成されている。なお、この彩色面１５は、赤色などの目立つ色調であることが好ましい。そして、この彩色面１５上には、蓄光材からなる帯状の蓄光層１６が間隔をあけて複数条、平行に重畳されており、彩色面１５と蓄光層１６とによって、所謂ゼブラ模様が基板７上に形成されている。
【００４５】
更に、その上に透明なプラスチック板１７が重畳されており、該プラスチック板１７の上には、任意の設定温度で溶解する粉末状の石油系ワックスと粘ちょう剤とを練り合せてなるワックス層１０が重畳されている。なお、このワックス層１０を形成する物質は、本件出願人が特開２００６−２９９４５として提案したものと同じであり、設定温度超過前の平常状態においては、粉末状の石油系ワックスの作用により、白濁した不透明状態を呈しており、図１５に示す様に、ワックス層１０に妨げられ、外部からゼブラ模様は視認することが出来ない。
【００４６】
又、蓄光層９を構成する蓄光材は、光を貯め込んで、これを放出して光る性質の物質であり、硫化亜鉛系やアルミン酸ストロンチウム系などの既知の蓄光材を用いることが出来る。そして、これら蓄光層９及びワックス層１０を覆う様に、その上に透明フィルム１１が被せられている。
【００４７】
この実施例５は上記の通りの構成を有するものであり、図１４に示す様に、異常高温を感知しようとする対象物４に適宜手段によって貼付して使用に供するものであり、設定温度超過前は、ワックス層１０は白濁しているので、図１５に示す様な状態を呈しているが、対象物４が設定温度を超過した場合には、図１４に示す様に、ワックス層１０を構成している粉末状の石油系ワックスが溶解して液状化することにより、それまで白濁して不透明であったワックス層１０が透明化し、図１６に示す様に、この透明化したワックス層１０を透過してゼブラ模様を呈している帯状の蓄光層１６及び、蓄光層１６の間の彩色面１５が透けて見え、蓄光層１６の発光現象が外部から視認出来る様になる。
【００４８】
特に、この実施例５においては、蓄光層１６と彩色面１５とがゼブラ模様を呈しているので、単に蓄光層１６が発光する場合に比べ、より鮮明に設定温度超過の事実を表示することが出来る。
【実施例６】
【００４９】
図１７はこの発明に係る暗所用異常温度警告具の実施例６の縦断面図である。図中２１，２１は扁平帯状をなした一対の袋体であり、長手方向一端に開口部２２を有しており、下記に述べる開閉弁２３を介して、それぞれ開口部２２が向かい合う様に、直列状に配置されている。開閉弁２３は、直列状に配置された一対の流路２４，２４と該流路２４，２４の間に位置し、該流路２４，２４間の開閉を行う可動栓２５とからなっており、該可動栓２５には、ワックスの熱による膨張／収縮作用によってピストン２６が伸縮するワックスサーモエレメント２７のピストン２６が連結されており、任意の設定温度に達すると、ピストン２６が伸長し、可動栓２５を移動させて流路２４，２４間を開く様になっている。
【００５０】
そして、一対の袋体２１，２１内には、シュウ酸ジフェニルと過酸化水素の様に、混合すると発光する一対の薬液５，６がそれぞれ収容されている。
【００５１】
この実施例６は上記の通りの構成を有するものであり、図１８に示す様に、異常高温を感知しようとする対象物４の表面に、適宜手段によって固定して使用に供するものであり、対象物４が予め設定された温度を超過するとワックスサーモエレメント２７のピストン２６が伸長し、可動栓２５を押し上げ、流路２４，２４間を開き、袋体２１，２１に収容されていた薬液５，６が混じり合い、発光を開始する。
【００５２】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例７】
【００５３】
図１９はこの発明に係る暗所用異常温度警告具の実施例７の縦断面図である。図中２８は棒状をなしたケミカルライトスティックであり、透明合成樹脂製筒体２９内には、ガラス製アンプル３０が収容されており、シュウ酸ジフェニルと過酸化水素の様に、混合すると発光する一対の薬液５，６の一方が前記アンプル３０内に封入されていると共に、筒体２９内にはもう一方の薬液５，６が収容されている。なお、上記構造は、従来から存在するケミカルライトスティックと全く同じである。
【００５４】
一方、図中３１は底板３２と周壁部３３とからなる有底筒状をなしたワックスサーモエレメント固定部材であり、周壁部３３を貫通してケミカルライトスティック２８が挿入されていると共に、ワックスの熱による膨張／収縮作用によってピストン２６が伸縮するワックスサーモエレメント２７が、その底面を底板３２に接し、ピストン２６の軸芯がケミカルライトスティック２８の軸芯に対してほぼ直角になる様に、その先端を当接あるいは接近させて、位置せしめられている。
【００５５】
この実施例７は、図２０に示す様に、異常高温を感知使用とする対象物４の表面に、適宜手段によって固定して使用に供するものであり、対象物４が予め設定された温度を超過すると、ワックスサーモエレメント２７のピストン２６が伸長し、ケミカルライトスティック２８の側面を強く圧迫し、図２０に示す様に、これを折り、ガラス製アンプル３０が割れ、筒体２９とガラス製アンプル３０とに収容されていた一対の薬液５，６が混じり合い、発光を開始する。
【００５６】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例８】
【００５７】
図２１はこの発明に係る暗所用異常温度警告具の実施例８の縦断面図である。
【００５８】
図中３４は、筒状をなし、軸芯に沿って流路３５が形成された口金であり、流路３５は、任意の設定温度で熔融する低熔融ハンダ４１によって封止されている。一方、図中３６，３６は扁平袋状をなして透明合成樹脂製袋体であり、それぞれの開口部は、前記口金３４の流路出口に突き合わせ状態になる様に、接続されており、これら袋体３６，３６内にはシュウ酸ジフェニルと過酸化水素の様に、混合すると発光する一対の薬液５，６が封入されている。  この実施例８は、上記の通りの構成を有するものであり、図２２に示す様に、異常高温を感知使用とする対象物４の表面に適宜手段によって固定して使用に供するものであり、対象物４が予め設定された温度を超過すると、低熔融ハンダ４１が熔融し、流路３５が開通し、袋体３６，３６に収容された薬液５，６が混じり合い、発光を開始する。
【００５９】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例９】
【００６０】
図２３はこの発明に係る暗所用異常高温警告具の実施例９の縦断面図、図２４はその平面図である。
【００６１】
図中１は、矩形薄板状をなした基板であり、実施例１の場合と同様、合成樹脂等を素材として、液体が浸み出さない水密性を有している。そして、この基板１の表面側には、一方側に膨出した透明な合成樹脂フィルム製の箱形成形体２が被せられており、基板１上に密閉空間を形成している。
【００６２】
又、この箱形成形体２内には、シュウ酸ジフェニルと過酸化水素の様に、混合すると発光する一対の薬液５，６の一方が収容されている共に、任意の設定温度で溶解する石油系ワックス製のマイクロカプセル３７が収容されている。そして、このマイクロカプセル３７内には、薬液５，６のもう一方が収容されている。
【００６３】
この実施例９は、上記の通りの構成を有するものであり、図２５に示す様に、異常温度を感知しようとする対象物４の表面に適宜手段によって固定して使用に供するものであり、対象物４が予め設定された温度を超過すると、マイクロカプセル３７を構成しているワックスが溶解して一対の薬液５，６が混じり合い、発光を開始する。
【００６４】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【実施例１０】
【００６５】
図２６はこの発明に係る暗所用異常高温警告具の実施例１０の縦断面図、図２７はその平面図である。
【００６６】
図中１は、矩形薄板状をなした基板であり、実施例１の場合と同様、合成樹脂等を素材として、液体が浸み出さない水密性を有している。そして、この基板１の表面側には、一方側に膨出した透明な合成樹脂フィルム製の箱形成形体２が被せられており、基板１上に密閉空間を形成している。
【００６７】
そして、この箱形成形体２内には、任意の設定温度で溶融する石油系ワックス製のマイクロカプセル３８，３９が収容されており、これらマイクロカプセル３８，３９内にはシュウ酸ジフェニルと過酸化水素の様に、混合すると、発光する一対の薬液５，６のどちらかが封入されている。
【００６８】
この実施例１０は、上記の通りの構成を有するものであり、図２８に示す様に、異常温度を感知しようとする対象物４の表面に適宜手段によって固定して使用に供するものであり、対象物４が予め設定された温度を超過すると、マイクロカプセル３８，３９を構成しているワックスが溶解して一対の薬液５，６が混じり合い、発光を開始する。
【００６９】
従って、洞状の施設内などの光量の乏しい無人施設内に設置されている対象物４が異常高温に晒されたときは、その事実が発光現象によって表示される。なお、その後、対象物４の温度が設定以下に低下したとしても、薬液５，６は混じり合ったままなので、発光は継続され、設定温度超過の事実は、不可逆的に表示され続ける。
【産業上の利用可能性】
【００７０】
温度管理を必要とするあらゆる産業分野において利用可能である。
【符号の説明】
【００７１】
１．基板
２．箱形成形体
３．隔壁
４．対象物
５．薬液
６．薬液
７．基板
９．蓄光層
１０．ワックス層
１１．透明フィルム
１２．仕切板
１３．透孔
１４．石油系ワックス
１５．彩色面
１６．蓄光層
１７．プラスチック板
１８．くびれ部
１９．袋体
２０．開口部
２１．袋体
２２．開口部
２３．開閉弁
２４．流路
２５．可動栓
２６．ピストン
２７．ワックスサーモエレメント
２８．ケミカルライトスティック
２９．筒体
３０．ガラス製アンプル
３１．固定部材
３２．底板
３３．周壁部
３４．口金
３５．流路
３６．袋体
３７．マイクロカプセル
３８．マイクロカプセル
３９．マイクロカプセル
４１．低熔融ハンダ
【図１】
2011214875.tif 000003
【図２】
2011214875.tif 000004
【図３】
2011214875.tif 000005
【図４】
2011214875.tif 000006
【図５】
2011214875.tif 000007
【図６】
2011214875.tif 000008
【図７】
2011214875.tif 000009
【図８】
2011214875.tif 000010
【図９】
2011214875.tif 000011
【図１０】
2011214875.tif 000012
【図１１】
2011214875.tif 000013
【図１２】
2011214875.tif 000014
【図１３】
2011214875.tif 000015
【図１４】
2011214875.tif 000016
【図１５】
2011214875.tif 000017
【図１６】
2011214875.tif 000018
【図１７】
2011214875.tif 000019
【図１８】
2011214875.tif 000020
【図１９】
2011214875.tif 000021
【図２０】
2011214875.tif 000022
【図２１】
2011214875.tif 000023
【図２２】
2011214875.tif 000024
【図２３】
2011214875.tif 000025
【図２４】
2011214875.tif 000026
【図２５】
2011214875.tif 000027
【図２６】
2011214875.tif 000028
【図２７】
2011214875.tif 000029
【図２８】
2011214875.tif 000030